(57)【要約】【課題】肢体不自由者の特殊入浴装置に用いられスライド担架において、足部担架プレートのリクライニング操作が初心者でも容易に行える足リクライニング装置を提供すること。【解決手段】介助者が力を入れすぎないよう操作レバーの設置位置を介助者からは遠い軸体に設置すると共に係合軸の適所に樹脂カラーを設置した。【選択図】図３
0003108953.tif 000002
【実用新案登録請求の範囲】
【請求項１】
足部担架プレート１Ａ，１Ｂのリクライニング用操作レバー１００を、ポジショナー９に設けた係合溝９Ａ又は９Ｂによって係止される係合軸１０２の回転支点である軸体１０１に設置すると共に上記係合軸１０２の段部１０３に樹脂カラー１０４を遊嵌したことを特徴とするスライド担架の足部リクライニング装置。
【考案の詳細な説明】
【技術分野】
【０００１】
この考案は、自力では入浴出来ない肢体不自由者やお年寄りが寝位姿勢で入浴させるようにした特殊入浴装置に供されるスライド担架に係り、殊に担架足部のリクライニング装置に関する。
【背景技術】
【０００２】
特殊入浴装置において、入浴者を乗せたままストレッチャーから浴槽本体へ或は浴槽本体からストレッチャーへ移送されるスライド担架には、入浴者の膝関節の具合が悪く脚部をまっすぐに伸ばせない又は困難な方もしくはまっすぐに伸ばせても脚部を曲げて入浴を希望する方達のため、入浴者の膝の裏側付近が頂点となるよう担架プレートを折り曲げる方式（以下これを足リクライニングと称す）が採用されている。
【０００３】
こうした足リクライニング機構を備えた従来のスライド担架ＳＴは、図１および図２に示す如く、その足部担架プレートが分割１Ａ，１Ｂされ、両者は蝶番２Ａによって回動可能に連結されている。また、前側の足部担架プレート１Ｂは、フレームやその他の構造物３によって適宜固定されている腰部担架プレート４と蝶番２Ｂを介して連結されている。尚、５は背中部担架プレート、５Ａは枕を示す。
【０００４】
又、上記担架プレート１Ａの下面両側には一対のブラケット６が垂設され、該ブラケット６に回転可能に支承された軸体７には一対のリンク８の一端が固定されている。リンク８の他端は構造物３の内側面に固定したポジショナー９の係合溝９Ａ，９Ｂのいずれかに受嵌して係止される係合軸１０に固定されている。そして、上記係合軸１０が図示実線示のごとく係合溝９Ａに受承されて担架プレート１Ａ，１Ｂを支持している時、当該担架プレート１Ａ，１Ｂは大略水平状態に保持されているものである。
【０００５】
斯る従来装置において、足部担架プレート１Ａ，１Ｂを足リクライニングさせるには、先ず入浴介助者（図示せず）が後方に立って親指を担架プレート１Ａ上に置き、他の指で係合軸１０の両端側に接合された操作レバー１１を引き上げ操作即ち回転操作する。この操作によってポジショナー９の係合溝９Ａに係止されていた係合軸１０は、リンク８を介して軸体７を支点として矢示方向に移動して係合溝９Ａから離脱するので、引き続き操作レバー１１から指を離さないで、担架プレ−ト１Ａを水平左方向へ押込操作すれば、蝶番２Ａを頂点として両担架プレート１Ａ，１Ｂは三角山形状に折り曲げられてゆき、最終的に係合軸１０をポジショナー９の係合溝９Ｂに受承させることにより、担架プレート１Ａ，１Ｂは破線示の如くリクライニング状態が保持され、入浴者の要望を満たすよう構成されている。
【０００６】
ところが、上述した従来装置にあっては、よほどのエキスパートでない限り最初の操作レバー１１の引き上げ回転操作で、レバーを強い力で握り締めてしまう。そのため係合軸１０がフレーム等の構造物３の下面に強く押し付けられ、次の押し込み操作が行えずリクライニングしない。そして一旦こうした事態に陥ると介助者はますます操作レバー１１を強く握り締める傾向があるので、それが逆効果となって結局リクライング操作を断念してしまうといった不具合が見られる。
【考案の開示】
【考案が解決しようとする課題】
【０００７】
本考案は、上記従来装置の不具合を有効且つ適切に解消したスライド担架を提供せんとしたものである。
【課題を解決するための手段】
【０００８】
本考案の請求項１記載のスライド担架の足部リクライニング装置は、足部担架プレート１Ａ，１Ｂのリクライニング用操作レバー１００を、ポジショナー９に設けた係合溝９Ａ又は９Ｂによって係止される係合軸１０２の回転支点である軸体１０１に設置すると共に上記係合軸１０２の段部１０３に樹脂カラー１０４を遊嵌したことを特徴とする。
【考案の効果】
【０００９】
上記、請求項１記載に係るスライド担架の足部リクライニング装置によると、足リクライニング用の操作レバーを従来に比し介助者から遠去けた位置に設けて介助者が力を入れすぎないよう工夫すると同時に係合軸の段部周囲に樹脂カラーを遊嵌し、たとえ操作レバーを強く握り締めても誰にでも容易に且つ円滑に足リクライング操作を行えるようにした。
【考案を実施するための最良の形態】
【００１０】
以下、本考案を図３以降に示す実施例に基づいて説明する。尚、従来と同一部品については同じ符号を用いて説明する。図中１００は操作レバーで、この操作レバーは軸体１０１の両軸端付近に装着されている。この軸体１０１に一端を固定したリンク８は、その他端を係合軸１０２に固定する。該係合軸１０２の軸端部には段部１０３が設けられ、この段部１０３周りに摩擦係数の低い部材例えば硬質塩ビ等から成る樹脂カラー１０４を転動自在に遊嵌させている。
【００１１】
足部担架プレート１Ａ，１Ｂを足リクライングさせるには、従来と同様に介助者が操作レバー１００を矢示方向に回転操作し、引き続き矢示水平方向へ担架プレート１Ａを所定量押し込み操作して操作レバー１００から指を離せば、係合軸１０２はポジショナー９の係合溝９Ａとの係合を脱した後、ガイド溝９Ｃに沿って図の左方に所定量移動して係合溝９Ｂに自動的に受嵌されるため、担架プレート１Ａ，１Ｂは蝶番２Ａ，２Ｂを介して破線示の如くリクライニングし且つその状態が保持されるものである。
【００１２】
而して、本考案によれば、操作レバー１００を介助者の手許に近い係合軸１０２と一体に装備するのではなく、それにより離れた係合軸１０２の回転支点である軸体１０１に付設したため、従来のように係合軸を直接上動させる方式に比し、係合軸１０２の構造物３に対する圧接力が相当減じるばかりでなく、該構造物３には樹脂カラー１０４を介して接触する方式を採用したので初心者でも容易に且つ円滑にリクライニングさせることが出来る。尚、足リクライニングした状態から元の状態へ戻すには、操作レバー１００の回転操作に続いて、上記と逆の引き寄き操作を行って両手を離せば元の状態へ復帰する。
【００１３】
要は、従来装置にあっても足リクライニング操作はコツさえ掴めば女性でもそんなに力を要さないで行うことが可能なものであるけれでも、操作レバーの設置位置が介助者の身体に近い位置にあって、つい力が入ってしまう為、本考案では当該操作レバーを介助者から若干遠去けた位置に設けて腕を少し伸ばした姿勢で操作させるようにした結果、従来に比しかなり操作力が抑制されることと相俟って係合軸周りに樹脂カラーを設け、たとえ操作レバーを強く握り締めても足リクライニングが誰にでも用意に行えるようにしたものである。
【図面の簡単な説明】
【００１４】
【図１】従来のスライド担架を示す正面図である。
【図２】従来のスライド担架を示す右側面図である。
【図３】本考案のスライド担架を示す正面図である。
【図４】本考案のスライド担架を示す右側面図である。
【図５】本考案の要部を示す縦断側面図である。
【符号の説明】
【００１５】
１Ａ，１Ｂ      足部担架プレート
２Ａ，２Ｂ      蝶番
３              構造物
６              ブラケット
８              リンク
９              ポジショナー
９Ａ，９Ｂ      係合溝
１００          操作レバー
１０１          軸体
１０２          係合軸
１０３          段部
１０４          樹脂カラー
ＳＴ            スライド担架
【図１】
0003108953.tif 000003
【図２】
0003108953.tif 000004
【図３】
0003108953.tif 000005
【図４】
0003108953.tif 000006
【図５】
0003108953.tif 000007